(57)【要約】【課題】受金側電線の他端及び中心接触片側電線の他端からの張力が受金側電線の一端及び中心接触片側電線の一端に働くことを低減し、受金側電線及び中心接触片側電線の張力止めの確実性を高める。【解決手段】ボディ７０及びカバー７１からなる外郭７は、対向面７０２，７１３によって、受金４０と接続する受金側電線４２の一部４２２を挟持し、対向面７０３，７１４とによって受金側電線４２の他部４２３を挟持して２箇所で張力止めを行う。対向面７０２，７１３と対向面７０３，７１４とは互いに異なる角度で受金側電線４２を挟持する。また、対向面７０４，７１５によって、中心接触片４１と接続する中心接触片側電線４３の一部４３２を挟持し、対向面７０５，７１６によって中心接触片側電線４３の他部４３３を挟持して２箇所で張力止めを行う。対向面７０４，７１５と対向面７０５，７１６とは互いに異なる角度で中心接触片側電線４３を挟持する。【選択図】図１
2008004449.tif 000002
【特許請求の範囲】
【請求項１】
螺合用の溝が形成された金属製のシェルと、前記シェルの一端面から突出して設けられた絶縁部と、前記絶縁部の先端に設けられた金属端子とを有する口金を備えるランプが装着されるねじ込みソケットであって、
前記ランプが装着されたときに前記シェルと螺合して導通する受金と、
前記ランプが装着されたときに前記金属端子と接触導通する中心接触片と、
前記受金と一端で接続する受金側電線と、
前記中心接触片と一端で接続する中心接触片側電線と、
絶縁性のボディと前記ボディに組み合わされる絶縁性のカバーからなり、前記受金、前記中心接触片、前記受金側電線及び前記中心接触片側電線を収納し、前記ボディと前記カバーとが組み合わされたときに対向する当該ボディ及び当該カバーの複数対の対向面によって、それぞれが互いに異なる前記受金側電線の一部分を互いに異なる角度で挟持して張力止めを行い、それぞれが互いに異なる前記中心接触片側電線の一部分を互いに異なる角度で挟持して張力止めを行う外郭と
を備えることを特徴とするねじ込みソケット。
【請求項２】
前記カバーが、前記受金側電線のうち少なくとも前記対向面によって挟持された部分を前記ボディとともに覆い隠す第１の絶縁壁と、前記中心接触片側電線のうち少なくとも前記対向面によって挟持された部分を前記ボディとともに覆い隠す第２の絶縁壁とを有することを特徴とする請求項１記載のねじ込みソケット。
【請求項３】
前記カバーが、前記第１の絶縁壁と前記第２の絶縁壁とを一体に有することを特徴とする請求項２記載のねじ込みソケット。
【請求項４】
前記受金側電線の他端と前記中心接触片側電線の他端とが同一の方向かつ同一の高さで外部に引き出されることを特徴とする請求項１〜３のいずれか記載のねじ込みソケット。
【請求項５】
前記外郭に固定されるための１対の外郭用固定孔が形成され、器具本体に固定されるための１対の器具本体用固定孔がそれぞれの中心間を結ぶ直線を前記１対の外郭用固定孔の中心間を結ぶ直線と直交し前記外郭との固定時に当該外郭の外側に露出するように形成された取付板を備え、
前記外郭に、それぞれ前記外郭用固定孔とともに組立ねじが挿通される１対の取付孔が形成され、
前記受金側電線の他端と前記中心接触片側電線の他端とが、前記１対の取付孔の一方に近接した位置から外部に引き出される
ことを特徴とする請求項１〜４のいずれか記載のねじ込みソケット。
【請求項６】
請求項１〜５のいずれか記載のねじ込みソケットと、
前記受金側電線の他端及び前記中心接触片側電線の他端と接続し当該受金側電線及び当該中心接触片側電線を介して電源からの電力を前記ねじ込みソケットに伝達する端子部と
を備えることを特徴とする照明器具。
【発明の詳細な説明】
【技術分野】
【０００１】
本発明は、ランプが装着されるねじ込みソケット及び照明器具に関するものである。
【背景技術】
【０００２】
従来、ランプが装着されるねじ込みソケットとして、例えばソケット製造業者などによる電線接続の安定を確保するために電線付きのものが多くある。従来の電線付きのねじ込みソケット８は、特許文献１や図９（ａ）〜（ｃ）に示すように、受金及び中心接触片（図示せず）のそれぞれに一端が接続された電線８０，８０を外郭８１のボディ８２及びカバー８３の合わせ面が挟持して１箇所の張力止めを行い、各電線８０の他端８００が外郭８１から外部に引き出される構造である。このとき、２つの電線８０，８０は互いに１８０°異なる方向に、異なる高さで引き出される。
【特許文献１】実用新案登録第２６０４４２８号公報（段落００１２〜００３１及び第３，５，６図）
【発明の開示】
【発明が解決しようとする課題】
【０００３】
しかしながら、上記従来のねじ込みソケットには、外郭が各電線を１箇所でしか挟持して張力止めを行っていないので、張力止めが不確実であるという問題があった。特に、外郭がセラミックの場合、寸法精度が高くなく、ワレやカケの発生しやすい材料であるので、上記問題が顕著に現れる。
【０００４】
本発明は上記の点に鑑みて為されたものであり、その目的とするところは、受金側電線の他端及び中心接触片側電線の他端からの張力が受金側電線の一端及び中心接触片側電線の一端に働くことを低減することができ、受金側電線及び中心接触片側電線の張力止めの確実性を高めることができるねじ込みソケット及び照明器具を提供することにある。
【課題を解決するための手段】
【０００５】
請求項１に記載のねじ込みソケットの発明は、螺合用の溝が形成された金属製のシェルと、前記シェルの一端面から突出して設けられた絶縁部と、前記絶縁部の先端に設けられた金属端子とを有する口金を備えるランプが装着されるねじ込みソケットであって、前記ランプが装着されたときに前記シェルと螺合して導通する受金と、前記ランプが装着されたときに前記金属端子と接触導通する中心接触片と、前記受金と一端で接続する受金側電線と、前記中心接触片と一端で接続する中心接触片側電線と、絶縁性のボディと前記ボディに組み合わされる絶縁性のカバーからなり、前記受金、前記中心接触片、前記受金側電線及び前記中心接触片側電線を収納し、前記ボディと前記カバーとが組み合わされたときに対向する当該ボディ及び当該カバーの複数対の対向面によって、それぞれが互いに異なる前記受金側電線の一部分を互いに異なる角度で挟持して張力止めを行い、それぞれが互いに異なる前記中心接触片側電線の一部分を互いに異なる角度で挟持して張力止めを行う外郭とを備えることを特徴とする。
【０００６】
請求項２に記載のねじ込みソケットの発明は、請求項１に記載の発明において、前記カバーが、前記受金側電線のうち少なくとも前記対向面によって挟持された部分を前記ボディとともに覆い隠す第１の絶縁壁と、前記中心接触片側電線のうち少なくとも前記対向面によって挟持された部分を前記ボディとともに覆い隠す第２の絶縁壁とを有することを特徴とする。
【０００７】
請求項３に記載のねじ込みソケットの発明は、請求項２に記載の発明において、前記カバーが、前記第１の絶縁壁と前記第２の絶縁壁とを一体に有することを特徴とする。
【０００８】
請求項４に記載のねじ込みソケットの発明は、請求項１〜３のいずれかに記載の発明において、前記受金側電線の他端と前記中心接触片側電線の他端とが同一の方向かつ同一の高さで外部に引き出されることを特徴とする。
【０００９】
請求項５に記載のねじ込みソケットの発明は、請求項１〜４のいずれかに記載の発明において、前記外郭に固定されるための１対の外郭用固定孔が形成され、器具本体に固定されるための１対の器具本体用固定孔がそれぞれの中心間を結ぶ直線を前記１対の外郭用固定孔の中心間を結ぶ直線と直交し前記外郭との固定時に当該外郭の外側に露出するように形成された取付板を備え、前記外郭に、それぞれ前記外郭用固定孔とともに組立ねじが挿通される１対の取付孔が形成され、前記受金側電線の他端と前記中心接触片側電線の他端とが、前記１対の取付孔の一方に近接した位置から外部に引き出されることを特徴とする。
【００１０】
請求項６に記載の照明器具の発明は、請求項１〜５のいずれかに記載のねじ込みソケットと、前記受金側電線の他端及び前記中心接触片側電線の他端と接続し当該受金側電線及び当該中心接触片側電線を介して電源からの電力を前記ねじ込みソケットに伝達する端子部とを備えることを特徴とする。
【発明の効果】
【００１１】
請求項１の発明によれば、外郭のボディ及びカバーが受金側電線及び中心接触片側電線のそれぞれに対して複数の張力止めを行うことができるので、受金側電線及び中心接触片側電線の他端からの張力が一端に働くことを低減することができ、受金側電線及び中心接触片側電線の張力止めの確実性を高めることができる。
【００１２】
請求項２の発明によれば、受金側電線及び中心接触片側電線のうち張力止めが行われた部分を第１の絶縁壁及び第２の絶縁壁で覆い隠すことができるので、周囲の部材との絶縁距離を確保することができるとともに、張力止めの部分を保護することができる。
【００１３】
請求項３の発明によれば、第１の絶縁壁と第２の絶縁壁とが一体であるので、カバーの構造を簡易にすることができる。
【００１４】
請求項４の発明によれば、受金側電線の他端と中心接触片側電線の他端とが同一の方向かつ同一の高さで外部に引き出されるので、受金側電線及び中心接触片側電線の引き回しを容易に行うことができるとともに、受金側電線及び中心接触片側電線に電線保護用のガラス編組チューブを被せる作業を行う場合に作業性を向上させることができる。
【００１５】
請求項５の発明によれば、外郭が取り付けられた取付板を器具本体に取り付ける作業を行う際に、受金側電線及び中心接触片側電線が邪魔にならないので、作業性を損なうことを防止することができる。
【００１６】
請求項６の発明によれば、ねじ込みソケットにおいて、外郭のボディ及びカバーが受金側電線及び中心接触片側電線のそれぞれに対して複数の張力止めを行うことができるので、受金側電線及び中心接触片側電線の他端からの張力が一端に働くことを低減することができる。また、電源からの電力をねじ込みソケットに供給する構成でありながら、照明器具の組立時や設置時に電源側からの張力が受金側電線及び中心接触片側電線に働くことを低減することができ、張力止めの確実性を高めることができる。
【発明を実施するための最良の形態】
【００１７】
（実施形態１）
本発明の実施形態１について図１〜６を用いて説明する。図１，５，６は、実施形態１のねじ込みソケットを示す図である。図２は、実施形態１の照明器具を示す図である。図３は、実施形態１のランプの口金を示す概略図である。図４は、実施形態１の点灯装置の回路図である。
【００１８】
まず、実施形態１の照明器具の構成について説明する。実施形態１の照明器具は、図２（ａ）に示すように、例えば天井面５に設置されるダウンライトであり、ランプ１と、器具本体２と、点灯装置３と、ねじ込みソケット４とを備えている。
【００１９】
ランプ１は、ねじ込みソケット４に適合したものであり、電力が供給されると点灯する点灯部１０と、点灯部１０の一端（図２（ａ）の上端）に設けられた口金１１とを備えている。口金１１は、図３に示すように、螺合用の溝（図示せず）が外面に螺旋状に形成された筒状の金属製のシェル１１０と、シェル１１０の下面１１１からシェル１１０の軸方向（図３の下方向）に突出して設けられた絶縁部１１２と、絶縁部１１２の先端１１３に設けられた金属端子１１４とを備え、予め決められた形状に形成されたものである。シェル１１０及び金属端子１１４は、電源（図示せず）からの電力を点灯部１０（図２（ａ）参照）に伝達する。
【００２０】
器具本体２は、図２（ａ）に示すように、ランプ１及びねじ込みソケット４を収納して天井面５の開口５０に設置されている。ランプ１からの光は器具本体２の下方を照射する。
【００２１】
点灯装置３は、点灯回路部３０と、端子部３１とを備えている。点灯回路部３０は、図４に示すように、直流回路３００と、平滑回路３０１と、チョッパ回路３０２と、インバータ回路３０３と、負荷回路３０４とを備え、ねじ込みソケット４に装着されたランプ１を点灯制御する。端子部３１は、図２（ａ），（ｂ）に示すように、後述の受金側電線４２の他端４２１（図１（ａ）参照）及び中心接触片側電線４３の他端４３１（図１（ａ）参照）と接続し、受金側電線４２及び中心接触片側電線４３を介して電源（図示せず）からの電力をねじ込みソケット４に伝達する。なお、点灯装置３は器具本体２と分離されて別の位置に設置されていることに限定されるものではなく、用途に応じて器具本体２と一体であってもよい。
【００２２】
ねじ込みソケット４は、図５に示すように、ランプ１（図２（ａ）参照）が装着されるものであり、受金４０と、中心接触片４１と、受金側電線４２と、中心接触片側電線４３と、弾性部材４４と、取付板４５と、絶縁スペーサ６と、外郭７とを備えている。受金４０は、例えば金属材料などの導電材料で形成されて後述の外郭７の凹部７２（図６参照）に収納されるものであり、板状の基部４００と、基部４００の中央に設けられランプ１が装着されたときにシェル１１０（図３参照）と螺合して導通する螺合部４０１とを一体に備えている。中心接触片４１は、例えば金属材料などの導電材料で形成されて凹部７２に収納されるものであり、ランプ１が装着されたときに金属端子１１４（図３参照）と接触導通する。
【００２３】
受金側電線４２は、例えばスポット溶接などで一端４２０を受金４０と接続し、一端４２０と他端４２１の間の２個所で折り曲げられたものである。中心接触片側電線４３は、例えばスポット溶接などで一端４３０を中心接触片４１と接続し、一端４３０と他端４３１の間の３個所で折り曲げられたものである。弾性部材４４は、上端４４０が中心接触片４１と接続するコイルスプリングであり、中心接触片４１を金属端子１１４（図３参照）に押し当てる荷重を発生させる。なお、中心接触片４１及び弾性部材４４に代えて、中心接触片４１及び弾性部材４４が一体に形成されたものを用いてもよい。
【００２４】
取付板４５は、基部４５０と、基部４５０の端部から段差を有して延設された１対の突出部４５１，４５１と、基部４５０の端部から延設された１対の突出部４５２，４５２とを備えている。各突出部４５１には、外郭７に固定されるための外郭用固定孔４５３が形成されている。各突出部４５２は、外郭７との固定時に外郭７の外側に露出するように設けられている。また、各突出部４５２には、器具本体２に固定されるための器具本体用固定孔４５４が形成されている。１対の器具本体用固定孔４５４，４５４の中心間を結ぶ直線Ｌ２（図１（ｄ）参照）は、１対の外郭用固定孔４５３，４５３の中心間を結ぶ直線Ｌ１（図１（ｄ）参照）と直交している。
【００２５】
絶縁スペーサ６は、非磁性材料の弾性体で筒状に形成されたものであり、筒部６０と、筒部６０の内壁６００から中心方向に突出して設けられた４つのリブ６１，・・・とを一体に備え、後述の外郭７の凹部７２（図６参照）の中で受金４０と中心接触片４１との間に収納されている。ランプ１が装着されていないとき、絶縁スペーサ６の下端６２は中心接触片４１と当接している。筒部６０は、外壁６０１を外郭７の凹部７２に合わせた形状とし、この外壁６０１で凹部７２の内面と当接している。ここで、中心から各リブ６１の先端までの距離の２倍を絶縁スペーサ６の内径とする。つまり、絶縁スペーサ６と同じ中心軸を有し各リブに内接する円Ａの直径を内径とする。この絶縁スペーサ６の内径は、ランプ１の絶縁部１１２の最大外径ａ（図３参照）より大きく、シェル１１０の下面１１１の外径ｂ（図３参照）より小さい。シェル１１０の下面１１１の外径ｂは溝の山部を基準としたものである。また、絶縁スペーサ６の高さは、ランプ１におけるシェル１１０の下面１１１から金属端子１１４までの距離ｃ（図３参照）以下である。上記絶縁スペーサ６は、ランプ１が装着されていないとき、受金４０と中心接触片４１との絶縁距離を確保している。
【００２６】
外郭７は、ボディ７０とボディ７０に組み合わされるカバー７１とで構成されるものである。外郭７は、ボディ７０にカバー７１が組み合わされた状態で、受金４０、中心接触片４１、受金側電線４２、中心接触片側電線４３、弾性部材４４及び絶縁スペーサ６を収納している。
【００２７】
ボディ７０は、例えばセラミックなどの絶縁材料で形成され、断面Ｕ字状の側壁７００を備えている。このボディ７０の中央付近には、上面７０１に開口する凹部７２０が形成されている。凹部７２０には絶縁スペーサ６が収納されるとともに、その下方に中心接触片４１が上下方向に動くことができるように中心接触片４１及び弾性部材４４が収納される。また、ボディ７０には１対の取付孔７３０，７４０が形成されている。
【００２８】
カバー７１は、例えばセラミックなどの絶縁材料で形成され、上面部７１０と、上面部７１０の一端から下方に延設された第１の絶縁壁７１１と、上面部７１０の一端から下方に延設された第２の絶縁壁７１２とを一体に備えている。上面部７１０には、ランプ１が挿入されるランプ受口７２１と、ランプ受口７２１と連続しランプ受口７２１より内径の小さい貫通孔７２２とが形成されている。第１の絶縁壁７１１は、受金側電線４２のうち他端４２１を除いた部分をボディ７０の側壁７００とともに覆い隠す。第２の絶縁壁７１２は、中心接触片側電線４３のうち他端４３１を除いた部分をボディ７０の側壁７００とともに覆い隠す。第１の絶縁壁７１１と第２の絶縁壁７１２は同じ高さである。一般的に外郭７の表面と受金４０及び中心接触片４１との絶縁距離が不足すると、外郭７の表面から器具本体２との離隔距離を十分に確保することが必要であるが、第１の絶縁壁７１１及び第２の絶縁壁７１２によって絶縁距離を十分に確保することができる。また、カバー７１には１対の取付孔７３１，７４１が形成されている。
【００２９】
ボディ７０の凹部７２０とカバー７１のランプ受口７２１及び貫通孔７２２とは、ボディ７０とカバー７１とが組み合わされたときに一体となって凹部７２（図６参照）を構成する。
【００３０】
また、ボディ７０の取付孔７３０とカバー７１の取付孔７３１とは、ボディ７０とカバー７１とが組み合わされたときに、一体となって取付孔７３（図６参照）を構成する。同様に、ボディ７０の取付孔７４０とカバー７１の取付孔７４１とは、ボディ７０とカバー７１とが組み合わされたときに、一体となって取付孔７４（図６参照）を構成する。各取付孔７３，７４には、外郭用固定孔４５３とともに組立ねじ７３２，７４２が挿通される。このとき、組立ねじ７３２，７４２のそれぞれは、器具本体２（図２（ａ）参照）を介して接地されるので、ねじ込みソケット４の充電部（受金４０及び中心接触片４１）とは絶縁距離を確保することができる。
【００３１】
上記のような構成の外郭７は、図１（ｃ）に示すように、ボディ７０とカバー７１とが組み合わされたときに、カバー７１に対向するボディ７０の対向面７０２，７０３とボディ７０に対向するカバー７１の対向面７１３，７１４とによって、受金側電線４２を挟持して張力止めを行う。具体的には、対向面７０２と対向面７１３とによって、受金側電線４２の一部４２２を挟持して第１の張力止めを行う。同時に、対向面７０３と対向面７１４とによって、受金側電線４２の他部４２３を挟持して第２の張力止めを行う。このとき、対向面７０２，７１３と対向面７０３，７１４とは異なる角度で受金側電線４２を挟持している。
【００３２】
また、図１（ｂ）に示すように、ボディ７０とカバー７１とが組み合わされたときに、カバー７１に対向するボディ７０の対向面７０４，７０５とボディ７０に対向するカバー７１の対向面７１５，７１６とによって、中心接触片側電線４３を挟持して張力止めを行う。具体的には、対向面７０４と対向面７１５とによって、中心接触片側電線４３の一部４３２を挟持して第３の張力止めを行う。同時に、対向面７０５と対向面７１６とによって、中心接触片側電線４３の他部４３３を挟持して第４の張力止めを行う。このとき、対向面７０４，７１５と対向面７０５，７１６とは異なる角度で中心接触片側電線４３を挟持している。
【００３３】
このような外郭７によって張力止めされた受金側電線４２の他端４２１と中心接触片側電線４３の他端４３１とは、図１（ａ），（ｆ）に示すように、同一の方向かつ同一の高さで外郭７の取付孔７４（図６参照）に近接した位置、つまり、組立ねじ７４２の両脇から外部に引き出される。このとき、受金側電線４２及び中心接触片側電線４３はカバー７１の突出部７１７より内側から外部に引き出される。
【００３４】
次に、実施形態１のねじ込みソケット４の組立方法について図５を用いて説明する。まず、中心接触片４１、中心接触片側電線４３、弾性部材４４及び絶縁スペーサ６を外郭７のボディ７０に収納する。続いて、ボディ７０にカバー７１を被せて受金４０及び受金側電線４２を収納する。このとき、取付孔７３，７４（図６参照）及び外郭用固定孔４５３，４５３に組立ねじ７３２，７４２を挿通することによって、ボディ７０、カバー７１及び取付板４５をねじ止め固定する。上記より図６に示すようなねじ込みソケット４が完成する。
【００３５】
以上、実施形態１によれば、外郭７のボディ７０及びカバー７１が受金側電線４２及び中心接触片側電線４３のそれぞれに対して２箇所の張力止めを行うことができるので、受金側電線４２及び中心接触片側電線４３の他端４２１，４３１からの張力が一端４２０，４３０に働くことを低減することができ、受金側電線４２及び中心接触片側電線４３の張力止めの確実性を高めることができる。
【００３６】
また、受金側電線４２のうち張力止めが行われた一部４２２及び他部４２３を第１の絶縁壁７１１で覆い隠すことができ、中心接触片側電線４３のうち張力止めが行われた一部４３２及び他部４３３を第２の絶縁壁７１２で覆い隠すことができるので、ねじ込みソケット４の周囲にある例えば器具本体などの部材との絶縁距離を確保することができるとともに、張力止めの部分を保護することができる。特に、ＨＩＤランプ用ソケットのような大きな絶縁距離を必要とする場合に効果的である。
【００３７】
さらに、第１の絶縁壁７１１と第２の絶縁壁７１２とが一体であるので、カバー７１の構造を簡易にすることができる。
【００３８】
上記に追加して、受金側電線４２の他端４２１と中心接触片側電線４３の他端４３１とが同一の方向かつ同一の高さで外部に引き出されるので、受金側電線４２及び中心接触片側電線４３の引き回しを容易に行うことができるとともに、受金側電線４２及び中心接触片側電線４３に電線保護用のガラス編組チューブ（絶縁チューブ）を被せる作業を行う場合に作業性を向上させることができる。特に、外郭７のカバー７１がセラミックの低圧射出成形の金型で成形される場合、高さが異なると金型を別ブロックにする必要があるが、同一の高さの場合、金型の構造を簡易にすることができる。
【００３９】
また、外郭７が取り付けられた取付板４５を器具本体２に取り付ける作業を行う際に、受金側電線４２及び中心接触片側電線４３が邪魔にならないので、作業性を損なうことを防止することができる。
【００４０】
さらに、電源（図示せず）からの電力をねじ込みソケット４に供給する構成でありながら、照明器具の組立時や設置時に電源側からの張力が受金側電線４２及び中心接触片側電線４３に働くことを低減することができる。
【００４１】
なお、実施形態１の変形例として、絶縁スペーサ６のリブ６１は４つ以外の個数（例えば１箇所や６箇所など）であってもよい。
【００４２】
（実施形態２）
本発明の実施形態２について図７を用いて説明する。図７は実施形態２のねじ込みソケットの断面図である。
【００４３】
実施形態２の照明器具は、実施形態１の照明器具（図２（ａ）参照）と同様に、ランプ１と、器具本体２と、点灯装置３とを備えているが、実施形態１の照明器具にはない以下に記載の特徴部分を有する。
【００４４】
実施形態２の照明器具は、実施形態１のねじ込みソケット４（図１（ｃ）参照）に代えて、図７に示すようなねじ込みソケット４ａを備えている。ねじ込みソケット４ａの外郭７ａのボディ７０ａ及びカバー７１ａにおいて、それぞれの対向面７０３ａ，７１４ａには突起７０６，７１８が設けられている。２つの突起７０６，７１８は対向した位置に設けられるのではなく、ずれた位置に設けられている。また、実施形態２では、２つの対向面７０３ａ，７１４ａの間隔を受金側電線４２の幅より広く設けている。このようなねじ込みソケット４ａでは、２つの突起７０６，７１８が受金側電線４２の他部４２３を挟持して張力止めを行う。なお、ねじ込みソケット４ａは上記以外の点において実施形態１のねじ込みソケット４と同様である。
【００４５】
以上、実施形態２によれば、対向面７０３ａ，７１４ａの一部分に設けられた突起７０６，７１８によって受金側電線４２を挟持して張力止めすることができる。
【００４６】
なお、実施形態２の変形例として、突起７０６，７１８とともに、又は突起７０６，７１８に代えて、対向面７０２，７１３に突起がずれた位置に設けられた構成であってもよい。このような構成であっても、実施形態２と同様に、受金側電線４２を挟持して張力止めすることができる。
【００４７】
また、実施形態２の他の変形例として、対向面７０４，７１５及び対向面７０５，７１６（図１（ｂ）参照）の少なくとも一方に突起がずれた位置に設けられた構成であってもよい。このような構成によれば、突起によって中心接触片側電線４３（図１（ｂ）参照）を挟持して張力止めすることができる。
【００４８】
（実施形態３）
本発明の実施形態３について図８を用いて説明する。図８は実施形態３のねじ込みソケットの断面図である。
【００４９】
実施形態３の照明器具は、実施形態１の照明器具（図２（ａ）参照）と同様に、ランプ１と、器具本体２と、点灯装置３とを備えているが、実施形態１の照明器具にはない以下に記載の特徴部分を有する。
【００５０】
実施形態３の照明器具は、実施形態１のねじ込みソケット４（図１（ｃ）参照）に代えて、図８に示すようなねじ込みソケット４ｂを備えている。ねじ込みソケット４ｂの外郭７ｂのボディ７０ｂ及びカバー７１ｂにおいて、それぞれの対向面７０３ｂ，７１４ｂには突起７０６ａ，７１８ａが設けられている。２つの突起７０６ａ，７１８ａは対向した位置に設けられている。また、実施形態３では、２つの対向面７０３ｂ，７１４ｂの間隔を受金側電線４２の幅より広く設けている。このようなねじ込みソケット４ｂでは、２つの突起７０６ａ，７１８ａが受金側電線４２の他部４２３を挟持して張力止めを行う。なお、ねじ込みソケット４ｂは上記以外の点において実施形態１のねじ込みソケット４と同様である。
【００５１】
以上、実施形態３によれば、対向面７０３ｂ，７１４ｂの一部分に設けられた突起７０６ａ，７１８ａによって受金側電線４２を挟持して張力止めすることができる。
【００５２】
なお、実施形態３の変形例として、突起７０６ａ，７１８ａとともに、又は突起７０６ａ，７１８ａに代えて、対向面７０２，７１３に突起が対向して設けられた構成であってもよい。このような構成であっても、実施形態３と同様に、受金側電線４２を挟持して張力止めすることができる。
【００５３】
また、実施形態３の他の変形例として、対向面７０４，７１５及び対向面７０５，７１６（図１（ｂ）参照）の少なくとも一方に突起が対向して設けられた構成であってもよい。このような構成によれば、突起によって中心接触片側電線４３（図１（ｂ）参照）を挟持して張力止めすることができる。
【００５４】
（実施形態４）
本発明の実施形態４について説明する。
【００５５】
実施形態４の照明器具は、実施形態１の照明器具（図２（ａ）参照）と同様に、ランプ１と、器具本体２と、ねじ込みソケット４とを備えているが、実施形態１の照明器具にはない以下に記載の特徴部分を有する。
【００５６】
実施形態４の照明器具は、ランプ１が白熱ランプであり、実施形態１の点灯装置３（図２（ａ）参照）に代えて電源端子台（図示せず）を備えている。
【００５７】
以上、実施形態４によれば、ランプ１が白熱ランプである場合も、実施形態１と同様の効果を得ることができる。
【図面の簡単な説明】
【００５８】
【図１】本発明による実施形態１のねじ込みソケットであって、（ａ）が上面図、（ｂ）が（ａ）のＨ−Ｈ断面図、（ｃ）が（ａ）のＬ−Ｌ断面図、（ｄ）が下面図、（ｅ）が前面図、（ｆ）が後面図である。
【図２】同上の照明器具であって、（ａ）が側面図、（ｂ）が点灯装置の上面図である。
【図３】同上のランプの口金を示す概略図である。
【図４】同上の点灯装置の回路図である。
【図５】同上のねじ込みソケットの分解斜視図である。
【図６】同上のねじ込みソケットの外観斜視図である。
【図７】本発明による実施形態２のねじ込みソケットの断面図である。
【図８】本発明による実施形態３のねじ込みソケットの断面図である。
【図９】従来のねじ込みソケットであって、（ａ）が上面図、（ｂ）が側面図、（ｃ）が後面図である。
【符号の説明】
【００５９】
４０  受金
４１  中心接触片
４２  受金側電線
４２２  一部
４２３  他部
４３  中心接触片側電線
４３２  一部
４３３  他部
７  外郭
７０  ボディ
７０２〜７０５  対向面
７１  カバー
７１３〜７１６  対向面
【図１】
2008004449.tif 000003
【図２】
2008004449.tif 000004
【図３】
2008004449.tif 000005
【図４】
2008004449.tif 000006
【図５】
2008004449.tif 000007
【図６】
2008004449.tif 000008
【図７】
2008004449.tif 000009
【図８】
2008004449.tif 000010
【図９】
2008004449.tif 000011